【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
結像する被写体のフォーカス状態を可変するフォーカスレンズを含む光学レンズと、
上記フォーカスレンズを光軸方向に移動させるフォーカス駆動部と、
上記光学レンズによって形成された被写体像を露光し、映像信号に変換する撮像素子と、
撮像装置と上記被写体との間の被写体距離を検出する測距部と、
上記測距部が検出した被写体距離と、上記フォーカスレンズのピント位置とに基づいて、上記フォーカス駆動部による上記フォーカスレンズの移動量を制御するフォーカス制御部と、
上記フォーカスレンズの光軸方向の移動量を検出する移動量検出部と、
上記被写体輝度を検出する測光部と、
を有し、
上記フォーカス制御部は、上記撮像素子が上記映像信号を記録用に上記被写体像を露光する間、上記測距部により検出された被写体距離と、上記移動量検出部が検出した上記フォーカスレンズの光軸方向の移動量と、上記フォーカスレンズのピント位置とのずれ量に基づき、上記フォーカス駆動部に対する移動量を出力し、
上記フォーカス制御部は、上記被写体輝度に応じて、被写体距離の検出を、上記測距部と、上記移動量検出部とによる検出値のどちらか一方、あるいは双方を選択するかを選択する選択部を、さらに有し、
上記フォーカス制御部は、上記選択部により選択された後に検出された被写体距離に基づいて、上記被写体距離と上記ピント位置とを一致させる方向に、上記フォーカス駆動部によって上記フォーカスレンズを移動させる制御を行うことを特徴とする撮像装置。
【請求項２】
上記測距部は、上記撮像素子が上記被写体像を露光する間に、この露光動作とは独立に並行して、被写体距離を検出する動作をすることを特徴とする請求項１に記載の撮像装置。
【請求項３】
上記撮像素子は、結像面に測距画素と、被写体像から画像信号を出力する非測距画素を含むものであり、
上記測距画素による検出信号と、上記非測距画素に検出信号を、それぞれ独立に読み出す画素出力回路を含み、
上記測距部は、上記非測距画素が露光動作をしている間に、上記測距画素から出力される画素信号を独立して読み出し、被写体距離を検出し結果を取得できることを特徴とする請求項１また２に記載の撮像装置。
【請求項４】
光学系により入射された被写体像の一部を上記撮像素子の撮像面に入射させ、被写体像の異なる一部を上記撮像面の入射方向とは異なる方向に分割して、上記測距部に上記被写体像の一部を導く分光部とをさらに有し、
上記測距部は、上記撮像素子とは異なる測距センサによって、被写体距離を検出することを特徴とする請求項１または２に記載の撮像装置。
【請求項５】
上記測距部は、上記光学レンズとは異なる光学系を有する測距光学系をさらに有し、
上記光学レンズとは異なる経路からの被写体光に基づいて測距することを特徴とする請求項１または２に記載の撮像装置。
【請求項６】
上記移動量検出部は、
光軸方向の移動加速度を検出する加速度センサと、
上記加速度センサの加速度出力を、上記測距部が検出した被写体距離に基づいて補正値を算出し、上記補正値を上記加速度出力に加算または減算して演算する加速度補正部と、
をさらに含むことを特徴とする請求項１に記載の撮像装置。
【請求項７】
フォーカスレンズを含む光学レンズが結像する被写体像を撮像素子によって映像信号の検出し、
記録用に上記映像信号を検出する際に、撮像装置と被写体との間の被写体距離を検出し、
検出した被写体距離と、上記フォーカスレンズのピント位置とのずれ量とに基づいて、上記被写体距離と上記ピント位置とを一致させる方向に、上記フォーカスレンズに対する移動量を算出し、
上記フォーカスレンズの光軸方向の移動量を検出し、
検出した上記被写体距離と、検出した上記フォーカスレンズの光軸方向の移動量と、上記フォーカスレンズのピント位置に基づいて、フォーカス駆動部に対する移動量を出力させ、
被写体輝度を検出する測光部を有し、上記被写体輝度に応じて、上記映像信号または加速度センサの何れかの検出値のどちらか一方、あるいは双方に基づいて、被写体距離の検出を行うかを選択し、
上記選択された後に検出された被写体距離に基づいて、上記被写体距離と上記ピント位置とを一致させる方向に、上記フォーカスレンズを移動させる制御を行う、
ことを特徴とする撮像装置の焦点調節方法。
【請求項８】
上記加速度センサは、光軸方向移動加速度を検出し、
上記加速度センサの加速度出力を、検出した上記被写体距離に基づいて補正値を算出し、上記補正値を上記加速度出力に加算または減算して演算することを特徴とする請求項７に記載の焦点調節方法。
【手続補正２】
【補正対象書類名】明細書
【補正対象項目名】０００６
【補正方法】変更
【補正の内容】
【０００６】
上記目的を達成するため第１の発明に係る撮像装置は、結像する被写体のフォーカス状態を可変するフォーカスレンズを含む光学レンズと、上記フォーカスレンズを光軸方向に移動させるフォーカス駆動部と、上記光学レンズによって形成された被写体像を露光し、映像信号に変換する撮像素子と、撮像装置と上記被写体との間の被写体距離を検出する測距部と、上記測距部が検出した被写体距離と、上記フォーカスレンズのピント位置とに基づいて、上記フォーカス駆動部による上記フォーカスレンズの移動量を制御するフォーカス制御部と、上記フォーカスレンズの光軸方向の移動量を検出する移動量検出部と、上記被写体輝度を検出する測光部と、を有し、上記フォーカス制御部は、上記撮像素子が上記映像信号を記録用に上記被写体像を露光する間、上記測距部により検出された被写体距離と、上記移動量検出部が検出した上記フォーカスレンズの光軸方向の移動量と、上記フォーカスレンズのピント位置とのずれ量に基づき、上記フォーカス駆動部に対する移動量を出力し、上記フォーカス制御部は、上記被写体輝度に応じて、被写体距離の検出を、上記測距部と、上記移動量検出部とによる検出値のどちらか一方、あるいは双方を選択するかを選択する選択部を、さらに有し、上記フォーカス制御部は、上記選択部により選択された後に検出された被写体距離に基づいて、上記被写体距離と上記ピント位置とを一致させる方向に、上記フォーカス駆動部によって上記フォーカスレンズを移動させる制御を行う。
【手続補正３】
【補正対象書類名】明細書
【補正対象項目名】０００９
【補正方法】変更
【補正の内容】
【０００９】
第６の発明に係る撮像装置は、上記第１の発明において、上記移動量検出部は、光軸方向の移動加速度を検出する加速度センサと、上記加速度センサの加速度出力を、上記測距部が検出した被写体距離に基づいて補正値を算出し、上記補正値を上記加速度出力に加算または減算して演算する加速度補正部と、をさらに含む。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第７の発明に係る焦点調節方法は、フォーカスレンズを含む光学レンズが結像する被写体像を撮像素子によって映像信号の検出し、記録用に上記映像信号を検出する際に、撮像装置と被写体との間の被写体距離を検出し、検出した被写体距離と、上記フォーカスレンズのピント位置とのずれ量とに基づいて、上記被写体距離と上記ピント位置とを一致させる方向に、上記フォーカスレンズに対する移動量を算出し、上記フォーカスレンズの光軸方向の移動量を検出し、検出した上記被写体距離と、検出した上記フォーカスレンズの光軸方向の移動量と、上記フォーカスレンズのピント位置に基づいて、フォーカス駆動部に対する移動量を出力させ、被写体輝度を検出する測光部を有し、上記被写体輝度に応じて、上記映像信号または加速度センサの何れかの検出値のどちらか一方、あるいは双方に基づいて、被写体距離の検出を行うかを選択し、上記選択された後に検出された被写体距離に基づいて、上記被写体距離と上記ピント位置とを一致させる方向に、上記フォーカスレンズを移動させる制御を行う。
第８の発明に係る焦点調節方法は、上記第７の発明において、上記加速度センサは、光軸方向移動加速度を検出し、上記加速度センサの加速度出力を、検出した上記被写体距離に基づいて補正値を算出し、上記補正値を上記加速度出力に加算または減算して演算する。
【手続補正６】
【補正対象書類名】明細書
【補正対象項目名】００１４
【補正方法】変更
【補正の内容】
【００１４】
以下、本発明の好ましい実施形態としてデジタルカメラ（以下、「カメラ」と称す）に適用した例について説明する。このカメラは、撮像部を有し、この撮像部によって被写体像を画像データに変換し、この変換された画像データに基づいて、被写体像を本体の背面に配置した表示部にライブビュー表示する。ユーザはライブビュー表示を観察することにより、構図やシャッタタイミングを決定する。レリーズ操作時には、静止画の画像データが記録媒体に記録される。記録媒体に記録された画像データは、再生モードを選択すると、表示部に再生表示することができる。
【手続補正７】
【補正対象書類名】明細書
【補正対象項目名】００５３
【補正方法】変更
【補正の内容】
【００５３】
上述のデフォーカス検出部は、具体的には、像分離部（ハーフミラー４）と、フォーカスセンサ（撮像素子７の測距画素（位相差センサ））を有している。また、デフォーカス検出部の別の例としては、撮像面に撮影用画素と測距用画素（瞳偏心、瞳分割等）を有する撮像素子によって構成されている。また、撮像素子から画素信号を読み出すための画素読出し回路を有し、この画素読出回路は、撮像画素の読出回路と、測距用画素の読出回路があり、それぞれ独立の読出回路が設けられている。それぞれの読み出し制御は、独立して画素出力を得る。これによって、静止画の撮影露光中に、デフォーカス状態の変化を検出するが可能となる。
【手続補正８】
【補正対象書類名】明細書
【補正対象項目名】０１３１
【補正方法】変更
【補正の内容】
【０１３１】
また、本発明の第２及び第３実施形態や変形例においては、フォーカスレンズの光軸方向の移動量を検出する移動量検出部（例えば、加速度データ検出部１７）を設け、この移動量検出部の出力を補正している（例えば、図８の加速度データ算出部１８５、図１０のＳ３７）。このため、フォーカスレンズの光軸方向の移動量に基づいて、フォーカスレンズの位置を補正するにあたって、移動量検出部の出力にオフセットが生ずるような場合であっても、精度よく焦点調節を行うことができる。